(57)【要約】【課題】  停電等の異常発生時においても適切な運用が可能な冷凍ショーケースを提供する。【解決手段】  交流電源や直流電源の供給異常を監視・検出する電源監視装置７０とバックアップ電池８０とを備え、電源供給異常が発生した際にはバックアップ電池８０からの電源供給により制御装置５０を動作させる。制御装置５０は、各種異常の発生を監視・検出する異常監視部１００を備え、少なくとも前記電源監視装置７０による電源異常を検出した際には所定の警報を発出する。【選択図】  図５
2006218158.tif 000002
【特許請求の範囲】
【請求項１】
交流電源を直流に変換する電源装置と、電源装置から供給される直流電流により動作する制御装置とを備えた冷凍ショーケースにおいて、
バックアップ電池を備えるとともに、
前記制御装置は、
電源装置による制御装置への電源供給を監視して電源供給異常を検出すると前記バックアップ電池から制御装置に直流電流を供給する電源監視手段と、少なくとも電源監視手段が電源供給異常を検出すると、該電源供給異常を所定の履歴記憶手段に記憶するとともに所定の出力装置から警報を発出する警報手段を備えた
ことを特徴とする冷凍ショーケース。
【請求項２】
前記電源監視手段は電源装置への交流の供給異常を検出する
ことを特徴とする請求項１記載の冷凍ショーケース。
【請求項３】
前記電源監視手段は電源装置による直流の供給異常を検出する
ことを特徴とする請求項１又は２何れか１項記載の冷凍ショーケース。
【請求項４】
機械室に設置した冷却用ファンを駆動するファンモータと、
ファンモータの回転数を監視する回転数監視手段とを備え、
前記警報手段は、回転数監視手段がファンモータの回転数異常を検出すると、（ａ）ファンモータを所定時間停止させた後に再起動させ、（ｂ）再起動後においてもファンモータの回転数異常が継続している場合には該回転数異常を前記履歴記憶手段に記憶するとともに警報を発出し、（ｃ）前記処理（ａ）及び処理（ｂ）を繰り返す
ことを特徴とする請求項１乃至３何れか１項記載の冷凍ショーケース。
【請求項５】
前記警報手段は、電源監視手段が電源供給異常からの復帰を検出した際に回転数監視手段がファンモータの回転数異常を検出した場合であり、且つ、電源監視手段が電源供給異常を検出時において当該回転数異常を検出して履歴を記録していた場合には、電源供給復帰時における回転数異常について履歴記憶手段への記憶及び警報発出は行わない
ことを特徴とする請求項４記載の冷凍ショーケース。
【請求項６】
商品収納庫の温度を検出する温度検出手段を備え、
前記警報手段は、温度検出手段により検出された庫内温度が所定の基準温度以上になると庫内温度と基準温度との差分を経時的に積算する処理を開始し、該積算値が所定の値以上となった場合、庫内温度異常を前記履歴記憶手段に記憶するとともに警報を発出する
ことを特徴とする請求項１乃至５何れか１項記載の冷凍ショーケース。
【請求項７】
現在時刻を計時するタイマを備えるとともに、
前記警報手段は、タイマの出力日時が所定期間変化していないことを検出した場合又はタイマの出力日時が異常であることを検出した場合、該タイマ異常を前記履歴記憶手段に記憶するとともに警報を発出する
ことを特徴とする請求項１乃至６何れか１項記載の冷凍ショーケース。
【請求項８】
冷却器へ付着した霜を除霜するためのヒータを備え、
前記制御装置は、前記タイマの計時日時に基づき所定の時間間隔で前記ヒータをオンにして除霜運転を行い、前記警報手段がタイマ異常を検出した際にはカウント処理を開始して所定のカウンタ間隔で除霜運転を行う除霜制御部を備えた
ことを特徴とする請求項７記載の冷凍ショーケース。
【請求項９】
除霜運転を停止する除霜停止ボタンを備え、
前記除霜制御部は除霜運転中に除霜停止ボタンの押下を検出すると除霜運転を停止する
ことを特徴とする請求項８記載の冷凍ショーケース。
【請求項１０】
警報を停止する警報停止ボタンを備え、
前記警報手段は警報発出中に警報停止ボタンの押下を検出すると警報を停止する
ことを特徴とする請求項１乃至９何れか１項記載の冷凍ショーケース。
【発明の詳細な説明】
【技術分野】
【０００１】
本発明は、冷凍商品を収納した商品収納部の開口部にエアーカーテンを形成した冷凍ショーケースに関し、特に停電等の異常発生時における動作制御の技術に関する。
【背景技術】
【０００２】
従来、この種の冷凍ショーケースとしては、上面が開口した略箱状で且つ断熱性のショーケース本体と、ショーケース本体の内側に形成した上面開口の内箱と、ショーケース本体の下側に設けた機械室とを備えたものが知られている（特許文献１参照）。内箱はショーケース本体と所定の間隙をおいて配置されており、該間隙は冷気を通過させる通風路となる。通風路内には冷凍サイクルを形成する蒸発器及び送風機が配置されている。蒸発器により冷却された冷気は送風機により通風路内を流れて、ショーケース本体上部の一方の側部に形成した吐出口から吐出する。また、ショーケース本体上部の他方の側部には通風路に連通する吸入口が形成されている。これにより、ショーケース本体上面にはエアカーテンが形成される。また、蒸発器の近傍には蒸発器に付着する霜を除去するためのヒータが設置されている。機械室内には冷凍サイクルを形成する圧縮機・凝縮器等の冷却機器、凝縮器等を冷却する送風機、制御装置等が設置されている。
【０００３】
この冷凍ショーケースには交流電源が供給されており、ヒータや圧縮機等の一部の機器は交流により動作する。また、冷凍ショーケースには交流電源を直流に変換する電源回路を備えており、制御装置などの機器は該電源回路により供給される直流により動作する。
【特許文献１】特開２００４−４５０１８号公報
【発明の開示】
【発明が解決しようとする課題】
【０００４】
ところで、冷凍ショーケースに設置される店舗においては、冷凍ショーケースに供給する電源系統と、例えば店舗内の照明等に供給される電源系統が別れている事が多い。このため冷凍ショーケースに供給している電源系統に停電が生じた場合であっても、店舗照明等には電源供給が維持されている場合がある。この場合には、店員が冷凍ショーケースへの電源供給断に気付かずに放置し、これにより商品劣化等を招くおそれが考えられる。
【０００５】
本発明は、上記事情に鑑みてなされたものであり、その目的とするところは、停電等の異常発生時においても適切な運用が可能な冷凍ショーケースを提供することにある。
【課題を解決するための手段】
【０００６】
上記目的を達成するために、請求項１では、交流電源を直流に変換する電源装置と、電源装置から供給される直流電流により動作する制御装置とを備えた冷凍ショーケースにおいて、バックアップ電池を備えるとともに、前記制御装置は、電源装置による制御装置への電源供給を監視して電源供給異常を検出すると前記バックアップ電池から制御回路に直流電流を供給する電源監視手段と、少なくとも電源監視手段が電源供給異常を検出すると、該電源供給異常を所定の履歴記憶手段に記憶するとともに所定の出力装置から警報を発出する警報手段を備えたことを特徴とするものを提案する。
【０００７】
本発明によれば、電源供給に異常が発生するとバックアップ電池から制御装置に対して電源供給されるとともに、警報手段により電源異常の警報が所定の出力装置から発せられる。これにより、店員等は電源供給異常の発生を認識することができるので適切な処置が可能となる。なお、警報の発出方法としては所定の警報音や警報メッセージをスピーカ等から発するなど聴覚に訴える方法や、ＬＥＤやランプ等を点灯・点滅させるなど視覚に訴える方法や、これらを組み合わせた方法などが挙げられる。また、電源監視手段は、請求項２で提案しているように電源装置への交流の供給異常を検出するようにしてもよいし、請求項３で提案しているように電源装置による直流の供給異常を検出するようにしてもよいし、交流・直流の両者の供給異常を検出するようにしてもよい。
【０００８】
また、請求項４では、請求項１乃至３何れか１項記載の冷凍ショーケースにおいて、機械室に設置した冷却用ファンを駆動するファンモータと、ファンモータの回転数を監視する回転数監視手段とを備え、前記警報手段は、回転数監視手段がファンモータの回転数異常を検出すると、（ａ）ファンモータを所定時間停止させた後に再起動させ、（ｂ）再起動後においてもファンモータの回転数異常が継続している場合には該回転数異常を前記履歴記憶手段に記憶するとともに警報を発出し、（ｃ）前記処理（ａ）及び処理（ｂ）を繰り返すことを特徴とするものを提案する。
【０００９】
ファンモータの回転数異常の発生理由としては種々のものが考えられるが、軽微な異物の混入や悪戯等が原因の場合にはファンモータの停止・再起動を行うと正常運転を開始することがある。本発明では、ファンモータの回転数の異常検出時に、ファンモータの停止・再起動を行い、それでも異常検出が継続している場合にのみ警報が発出される。これにより、ファンモータの停止・再起動で対処可能な異常は人手を煩わせることなく解消できるとともに、警報が過度に発出しないので運用上好ましいものとなる。
【００１０】
また、請求項５では、請求項４記載の冷凍ショーケースにおいて、前記警報手段は、電源監視手段が電源供給異常からの復帰を検出した際に回転数監視手段がファンモータの回転数異常を検出した場合であり、且つ、電源監視手段が電源供給異常を検出時において当該回転数異常を検出して履歴を記録していた場合には、電源供給復帰時における回転数異常について履歴記憶手段への記憶及び警報発出は行わないことを特徴とするものを提案する。
【００１１】
本発明によれば、ファンモータの回転数異常が検出されて警報が発出された後に停電等の電源供給異常が生じ、さらに電源供給が復帰した際にも当該回転数異常が検出されていた場合、当該回転数異常については警報は発せられない。このような場合、ファンモータの回転数異常については電源供給異常前に警報が発せられているので、電源供給復帰後には当該回転数異常についての警報は不要であるため、警報が過度に発出せず運用上好ましいものとなる。
【００１２】
また、請求項６では、請求項１乃至５何れか１項記載の冷凍ショーケースにおいて、商品収納庫の温度を検出する温度検出手段を備え、前記警報手段は、温度検出手段により検出された庫内温度が所定の基準温度以上になると庫内温度と基準温度との差分を経時的に積算する処理を開始し、該積算値が所定の値以上となった場合、庫内温度異常を前記履歴記憶手段に記憶するとともに警報を発出することを特徴とするものを提案する。
【００１３】
本発明によれば、庫内温度が基準温度以上になっただけでなく、その後に庫内温度と基準温度との差分の積算値が所定の値以上となった場合にのみ警報が発せられるので、一時的に庫内温度が高くなっただけで商品劣化等には影響がない場合などには警報が発せられない。すなわち、警報が過度に発出しないので運用上好ましいものとなる。
【００１４】
また、請求項７では、請求項１乃至６何れか１項記載の冷凍ショーケースにおいて、現在時刻を計時するタイマを備えるとともに、前記警報手段は、タイマの出力日時が所定期間変化していないことを検出した場合又はタイマの出力日時が異常であることを検出した場合、該タイマ異常を前記履歴記憶手段に記憶するとともに警報を発出することを特徴とするものを提案する。
【００１５】
タイマに異常が発生すると出力日時が変化しなかったり出力日時に異常が生じる。本発明では、このようなタイマ異常を検出して警報を発するので、タイマ異常による種々の障害、例えば除霜時期が迫ってきたことの通知ができなくなることを、未然に防止できる。
【００１６】
また、請求項８では、請求項７記載の冷凍ショーケースにおいて、冷却器へ付着した霜を除霜するためのヒータを備え、前記制御装置は、前記タイマの計時日時に基づき所定の時間間隔で前記ヒータをオンにして除霜運転を行い、前記警報手段がタイマ異常を検出した際にはカウント処理を開始して所定のカウンタ間隔で除霜運転を行う除霜制御部を備えたことを特徴とするものを提案する。
【００１７】
本発明によれば、タイマの異常が検出されると除霜運転間隔がタイマによる計時からカウンタ処理による計時に切り替わるので、定期的な除霜運転を継続することができる。
【００１８】
また、請求項９では、請求項８記載の冷凍ショーケースにおいて、除霜運転を停止する除霜停止ボタンを備え、前記除霜制御部は除霜運転中に除霜停止ボタンの押下を検出すると除霜運転を停止することを特徴とするものを提案する。
【００１９】
本発明によれば、誤操作により不必要な除霜運転を開始してしまったり、定期的な除霜運転が開始されたものの霜の量が少なく除霜処理の必要がない場合など、除霜運転を任意に停止することができるので利便性の高いものとなる。
【００２０】
また、請求項１０では、請求項１乃至９何れか１項記載の冷凍ショーケースにおいて、警報を停止する警報停止ボタンを備え、前記警報手段は警報発出中に警報停止ボタンの押下を検出すると警報を停止することを特徴とするものを提案する。
【００２１】
本発明によれば、警報手段により警報が発出されても警報停止ボタンを押下することにより当該警報を停止させることができるので利便性の高いものとなる。
【発明の効果】
【００２２】
以上説明したように本発明によれば、電源供給異常やファンモータの回転異常や庫内温度異常が発生すると、警報手段により当該異常の警報が所定の出力装置から発せられる。これにより、店員等は電源供給異常等の発生を認識することができるので適切な処置が可能となる。
【発明を実施するための最良の形態】
【００２３】
本発明の一実施の形態に係る冷凍ショーケースについて図面を参照して説明する。図１は冷凍ショーケースの外観斜視図、図２は冷凍ショーケースの断面図である。
【００２４】
この冷凍ショーケース１は、図１及び図２に示すように、断熱性を有する上面開口の外箱１０と、該外箱１０の内側に所定の間隔をおいて配置した内箱１１と、外箱１０の下方に設けた機械室２０とを備えている。本実施の形態に係る冷凍ショーケース１では、内箱１１の内側がアイスクリームなどの冷凍商品を収納する商品収納庫１２となる。
【００２５】
外箱１０と内箱１１との間隙は冷気を流通させる通風路１３を形成する。外箱１０の上端は内箱１１の上端と当接するように内側に張り出している。内箱１１の一方の側壁の上部には通風路１３から冷気を吐出するための吐出口１４が形成され、他方の側壁の上部には通風路１３に外気を吸入するための吸入口１５が形成されている。通風路１３内には冷凍サイクルを形成する蒸発器１６と、蒸発器１６により冷却された空気を送風する庫内送風機１７が設置されている。このような構造により、蒸発器１６による冷気が庫内送風機１７により吐出口１４から吐出される。この冷気は商品収納庫１２内を冷却維持するとともに吸入口１５から通風路１３内に吸入される。すなわち、商品収納庫１２の上面にエアカーテンが形成される。これにより商品収納庫１２内を効率的に冷却維持できる。また、蒸発器１６の近傍には蒸発器１６に付着した霜を加熱するヒータ１８が設置されている。
【００２６】
機械室２０内には、冷凍サイクルを形成する圧縮機２１・凝縮器２２などの機器と、主として凝縮器２２を冷却する機械室内送風機２３と、後述する制御装置５０が設置されている。また、機械室２０の一方の側壁は取り外し可能なパネル２０ａとなっており、該パネル２０ａには外気取入口２４が形成されている。また、機械室２０の他方の側壁には廃熱口２５が形成されている。さらに、外気取入口２４の近傍には外気に含まれる塵埃を濾過するエアフィルタ２６が着脱自在に設けられている。該エアフィルタ２６は、前記パネル２０ａを取り外すことにより容易に着脱自在可能となっている。
【００２７】
外箱１０の外壁には店員等に各種情報を通知するための表示部３０が形成されている。図３に表示部３０の正面図を示す。同図に示すように、表示部３０には庫内温度を表示する数桁の７セグメントＬＥＤからなる庫内温度表示ＬＥＤ３１と、エアフィルタ２５の清掃を促すためのフィルタ清掃サインＬＥＤ３２と、店員等に異常発生などを通知する第１警報ＬＥＤ３３とを備えている。
【００２８】
機械室２０には、店員やメンテナンス業者が冷凍ショーケース１に対する操作を行うための操作部４０が設けられている。この操作部４０は前記パネル２０ａを取り外した際に操作可能な位置に設けられいている。図４に操作部４０の正面図を示す。同図に示すように、操作部４０には、エラーコードや次回除霜時までの時間など種々の情報を表示する数桁の７セグメントＬＥＤからなる情報表示ＬＥＤ４１と、店員等に異常発生などを通知する第２警報ＬＥＤ４２及びブザー４３と、除霜中であることを示す除霜中ＬＥＤ４４と、ブザー４３による警報音を停止するブザー停止ボタン４５と、除霜運転を停止する除霜停止ボタン４６とを備えている。
【００２９】
次に、本実施の形態に係る冷凍ショーケース１の制御系統について図５を参照して説明する。図５は冷凍ショーケースの制御ブロック図である。
【００３０】
この冷凍ショーケース１は、図５に示すように、２００Ｖの交流商用電源の供給により動作する。また、冷凍ショーケース１は、交流を直流に変換するスイッチング電源装置６０を備えており、制御装置５０はスイッチング電源装置６０から供給される直流電流により駆動する。さらに、冷凍ショーケース１は、電源異常を監視する電源監視装置７０及びバックアップ電池８０を備えている。
【００３１】
電源監視装置７０は、冷凍ショーケース１に供給されている交流の異常を検出する交流電源監視部７１と、スイッチング電源装置６０が供給する直流の異常を検出する直流電源監視部７２とを備えている。電源監視装置７０は、交流電源又は直流電源の異常を検出すると、制御装置５０に対してバックアップ電池８０からの直流電流を供給するとともに電源異常を通知する。各監視部７１・７２は、交流又は直流の供給断の他、所定の電圧範囲からはずれた場合なども電源異常として検出する。
【００３２】
制御装置５０は、商品収納庫１２内の冷却制御や除霜処理など通常時の制御を行う主制御部９０と、異常監視を行う異常監視部１００とを備えている。
【００３３】
主制御部９０は、商品収納庫１２内の冷却制御を行う庫内温度制御部９１と、除霜処理を行う除霜処理部９２と、現在日時を計時するタイマ９３とを備えている。
【００３４】
庫内温度制御部９１は、商品収納庫１２内に付設した庫内温度センサ１９の検出温度が所定の温度範囲内に収まるように、庫内送風機１７のファンモータ１７ａ及び圧縮機２１を駆動制御する。
【００３５】
除霜処理部９２は、蒸発器１６に付着した霜を除去するために定期的にヒータ１８を駆動制御する。また、除霜処理部９２は、除霜処理中には冷却動作を行わないよう前記庫内温度制御部９１と協動して動作する。
【００３６】
この除霜処理部９２は、タイマ９３の出力日時が所定の設定時刻になると所定の時間ヒータ１８をオンにする。したがって、除霜処理部９２は、タイマ９３が正常に駆動していない場合には適切なタイミングで除霜処理を開始できない。そこで、除霜処理部９２は、後述するように異常監視部１００がタイマ９３の動作異常を検出した際には、カウンタ処理を開始してカウンタ値が所定の基準値以上になったら除霜処理を開始する。ここで、カウンタ処理とは適当な記憶領域に記憶した数値を順次増加させていく処理である。カウンタの増加速度は主制御部９０の演算速度（クロック速度）により決定される。前記所定の基準値は、このカウンタ増加速度とタイマ９３を用いる場合の除霜処理間隔時間とに基づき予め算出すればよい。また、ヒータ１８をオンにする時間もカウンタ処理により計時すればよい。
【００３７】
また、除霜処理部９２は、除霜処理を開始すると操作部４０の除霜中ＬＥＤ４４を点灯させる。さらに、除霜処理部９２は、操作部４０の除霜停止ボタン４６の押下を検出すると除霜処理を停止させる。主制御部９０は、除霜処理部９２による除霜処理が終了すると、庫内温度制御部９１による冷却動作を開始する。
【００３８】
異常監視部１００は、庫内送風機１７のファンモータ１７ａの回転数異常を検出するモータ回転数異常監視部１０１と、商品収納庫１２の温度異常を検出する庫内温度監視部１０２と、タイマ９３の動作異常を検出するタイマ監視部１０３と、上記各監視部１０１〜１０３並びに前記交流電源監視部７１及び直流電源監視部７２によって異常が検出された場合、当該異常についての警報の発出を制御する警報制御部１０４と、発生した異常の履歴を記憶する異常履歴記憶部１０５とを備えている。
【００３９】
モータ回転数監視部１０１は、ファンモータ１７ａに付設したモータ回転数検出センサ１７ｂの出力回転数を監視する。モータ回転数検出センサ１７ｂとしては、ファンモータ１７ａの回転軸に付設した回転子の回転数を光センサで検出するものなどが挙げられる。以下、モータ回転数監視部１０１による回転数異常検出の方法について図６のタイミングチャートを参照して説明する。
【００４０】
モータ回転数監視部１０１は、「ファンモータ１７ａの回転数が正常時の回転数よりも低い所定の基準回転数（図６の例では８００ｒｐｍ）以下の状態が所定の基準時間（図６の例では１０秒間）継続した」という事を、モータ回転数異常と判断する。モータ回転数監視部１０１は、モータ回転数異常を検出すると、ファンモータ１７ａを所定の停止時間（図６の例では１０分間）停止させる。その後、ファンモータ１７ａの駆動を再開してもモータ回転数異常が解消しない場合、すなわち前記基準時間以内に前記基準回転数に達しない場合、警報制御部１０４に対してモータ回転数異常を通知する。以降、モータ回転数監視部１０１は、ファンモータ１７ａの前記停止・再起動処理を繰り返す。ファンモータ１７ａの停止・再起動を繰り返した結果、モータ回転数異常が解消された場合、すなわち前記基準時間以内に前記基準回転数に達した場合、警報制御部１０４に対してモータ回転数異常が解消したことを通知する。
【００４１】
庫内温度監視部１０２による温度異常検出方法について図７のタイミングチャートを参照して説明する。庫内温度監視部１０２は、庫内温度センサ１９の検出温度が所定の基準温度（図７の例では−１５℃）以上になった場合、検出温度と基準温度との差分を経時的に積算する処理を開始し、当該積算値が所定の基準値以上となったときに、温度異常発生と判断する。すなわち、図７においてハッチング部の面積Ｓ１及びＳ２が所定の値以上となった場合に、温度異常発生と判断する。もっとも、本実施の形態に係る庫内温度監視部１０２では、処理を簡便にするために、前記積算値の近似値を以下のように算出して該近似値と前記基準値とを比較することにより温度異常発生を検出する。すなわち、庫内温度監視部１０２は、定期的（例えば１分毎）に庫内温度センサ１９を用いて庫内温度を検出し、該検出温度と前記基準温度との差分を積算する。そして、積算値が所定の基準値（例えば７５）以上となった場合に、警報制御部１０４に対して温度異常を通知する。一方、庫内温度が所定の基準温度以下となったら、警報制御部１０４に対して温度異常が解消したことを通知する。
【００４２】
タイマ監視部１０３は、タイマ９３の出力日時を監視し、該出力日時が所定期間変化しないことを検出した場合には、警報制御部１０４及び前記除霜処理部９２に対してタイマ異常を通知する。また、タイマ監視部１０３は、タイマ９３の出力日時が異常である場合にも、警報制御部１０４及び前記除霜処理部９２に対してタイマ異常を通知する。ここで出力日時の異常には、例えば出力日時の「分」が５９を超えた場合又は負の値の場合、「月」が１２を超えた場合又は負の値の場合など、日時として適切な範囲の値から逸脱している場合が挙げられる。
【００４３】
警報制御部１０４は、交流電源監視部７１，直流電源監視部７２，モータ回転数監視部１０１，庫内温度監視部１０２，タイマ監視部１０３が異常を検出すると警報を発出する。具体的には、警報制御部１０４は、各監視部７１，７２，１０１〜１０３が異常を検出すると、表示部３０の第１警報ＬＥＤ３３、操作部４０の第２警報ＬＥＤ４２を点灯させるとともに、ブザー４３から警報音を発出させ、さらに情報表示ＬＥＤ４１に各異常に対応したエラーコードを表示させる。また、警報制御部１０４は、警報の発出とともに当該異常が発生した旨を異常履歴記憶部１０５に記憶する。
【００４４】
ただし、警報制御部１０４は、交流電源監視部７１及び直流電源監視部７２が電源供給復帰を検出した際に、モータ回転数監視部１０１，庫内温度監視部１０２，タイマ監視部１０３が異常検出した場合であって、当該異常が電源供給異常時においても検出されたものである場合には、当該異常についての警報の発出及び異常履歴記憶部１０５への履歴記憶は行わない。このような処理は、電源復旧検出時において各監視部１０１〜１０３が異常を検出した際に、異常履歴記憶部１０５を参照して当該異常が記録されているかを確認することで実現する。
【００４５】
また、警報制御部１０４は、警報を発出してから所定時間（例えば１０分）経過したらブザー４３の警告音を停止させる。さらに、警報制御部１０４は、ブザー４３による警告音の発出中にブザー停止ボタン４５の押下を検出するとブザー４３の警告音を停止させる。
【００４６】
このような冷凍ショーケース１によれば、交流電源の供給停止や著しい電圧低下あるいはスイッチング電源装置６０の故障など各種電源異常が生じた場合、ファンモータ１７ａの回転数異常が生じた場合、庫内温度異常が生じた場合、タイマ異常が生じた場合には警報が発せられるので、店員等は該異常の発生を認識して適切な処置が可能となる。また、当該警報のうちブザー４３による警告音はブザー停止ボタン４４により停止可能なので店舗での運用において好適なものとなる。
【００４７】
また、ファンモータ１７ａの回転数異常が生じた際には、ファンモータ１７ａの停止・再起動してもなお当該回転異常が継続している場合にのみ警報が発せられるので、過度な警報の発出を防止できる。なお、このようなケースとしては、軽微な異物の混入や悪戯等により一時的に回転数異常が発生した場合などが挙げられる。
【００４８】
さらに、タイマ９３の異常を検出した場合には、次回除霜時期がタイマ９３による計時からカウンタ処理に切り替わるので、該タイマ９３に異常が生じても確実な除霜運転を実施できる。
【００４９】
さらに、停電等の電源異常が生じた場合であっても電源異常発生時に既にファンモータ１７ａ等の他の異常について警報が発出されていた場合、電源復旧時には当該異常が継続していても警報が発出されないので、店舗での運用において好適なものとなる。また、この場合には、異常履歴記憶部１０５への記録も行われないので、異常履歴記憶部１０５の記憶容量を節約できる。
【００５０】
さらに、庫内温度が所定の基準温度以上になっただけでなく、その後に庫内温度と基準温度との差分の積算値が所定の値以上となった場合にのみ警報が発せられるので、一時的に庫内温度が高くなっただけで商品劣化等には影響がない場合などには警報が発せられない。すなわち、警報が過度に発出しないので運用上好ましいものとなる。
【００５１】
以上本発明の一実施の形態について詳述したが本発明はこれに限定されるものではない。例えば、上記実施の形態では商品収納庫の上面にエアカーテンを形成する冷凍ショーケースについて詳述したが、前面にエアカーテンを形成するショーケースであってもよい。
【００５２】
また、上記実施の形態では、警報を発出する手段として、表示部３０に設けた第１警報ＬＥＤ３３、操作部４０に設けた第２警報ＬＥＤ４２及びブザー４３を用いたが、他の手段を用いてもよい。すなわち、店員頭の視覚・聴覚に訴えるようなものであれば、どのような手段であってもよい。
【００５３】
また、上記実施の形態では、電源監視装置７０において交流及び直流の双方の電源供給異常を監視・検出していたが、何れか一方のみであってもよい。
【図面の簡単な説明】
【００５４】
【図１】冷凍ショーケースの外観斜視図
【図２】冷凍ショーケースの断面図
【図３】表示部の正面図
【図４】操作部の正面図
【図５】冷凍ショーケースの制御ブロック図
【図６】ファンモータの回転数異常の検出方法を説明するタイミングチャート
【図７】庫内温度異常の検出方法を説明するタイミングチャート
【符号の説明】
【００５５】
１…冷凍ショーケース、１０…外箱、１１…内箱、１２…商品収納庫、１３…通風路、１４…吐出口、１５…吸入口、１６…蒸発器、１７…庫内送風機、１７ａ…ファンモータ、１７ｂ…モータ回転数検出センサ１７ｂ、１８…ヒータ、１９…庫内温度センサ、２０…機械室、２１…圧縮機、２２…凝縮器、２３…機械室内送風機、２４…外気取入口、２５…廃熱口、２６…エアフィルタ、３０…表示部、３１…庫内温度表示ＬＥＤ、３２…フィルタ清掃サインＬＥＤ、３３…第１警報ＬＥＤ、４０…操作部、４１…情報表示ＬＥＤ、４２…第２警報ＬＥＤ、４３…ブザー、４４…除霜中ＬＥＤ、４５…ブザー停止ボタン、４６…除霜停止ボタン、５０…制御装置、６０…スイッチング電源装置、７０…電源監視装置、７１…交流電源監視部、７２…直流電源監視部、９０…主制御部、９１…庫内温度制御部、９２…除霜処理部、９３…タイマ、１００…異常監視部、１０１…モータ回転数監視部、１０２…庫内温度監視部、１０３…タイマ監視部、１０４…警報制御部、１０５…異常履歴記憶部
【図１】
2006218158.tif 000003
【図２】
2006218158.tif 000004
【図３】
2006218158.tif 000005
【図４】
2006218158.tif 000006
【図５】
2006218158.tif 000007
【図６】
2006218158.tif 000008
【図７】
2006218158.tif 000009